【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
バッファに格納するために第１画像データ及び第２画像データを取得し、
第１画像データ及び第２画像データにおいて対応する画素に基づいてクロスフェード画素を計算し、第１画像データ及び第２画像データはバッファ内で変わらずもとのままであって、
第１画像データ及び第２画像データに上書きしないでクロスフェード画素を表示装置に伝送することからなる、埋め込みシステムにおける非破壊型クロスフェード処理の方法。
【請求項２】
第１画像データ及び第２画像データを取得することはさらに画素配列を受け取ることを含む、請求項１に記載の埋め込みシステムにおける非破壊型クロスフェード処理の方法。
【請求項３】
画素配列は複数のＲＧＢ画素を含む、請求項２に記載の埋め込みシステムにおける非破壊型クロスフェード処理の方法。
【請求項４】
クロスフェード画素はクロスフェード計算から生み出される、請求項１に記載の埋め込みシステムにおける非破壊型クロスフェード処理の方法。
【請求項５】
クロスフェード計算は、第１重みに第１画像データからの画素を掛け、第２重みに第２画像データからの対応する画素を掛けることを含む、請求項４に記載の埋め込みシステムにおける非破壊型クロスフェード処理の方法。
【請求項６】
第１重みに第１画像データからの画素を掛け、第２重みに第２画像データからの対応する画素を掛けることはさらに、第１重みの第１画像データからの画素との積と第２重みの第２画像データからの画素との積を加算することを含む、請求項５に記載の埋め込みシステムにおける非破壊型クロスフェード処理の方法。
【請求項７】
重み付き平均値を計算することをさらに含む、請求項６に記載の埋め込みシステムにおける非破壊型クロスフェード処理の方法。
【請求項８】
対応する画素に基づいてクロスフェード画素を計算することはアニメーション用の複数のクロスフェード画素を提供することをさらに含む、請求項１に記載の埋め込みシステムにおける非破壊型クロスフェード処理する方法。
【請求項９】
アニメーション化は第１画像データ及び第２画像データを滑らかにブレンドするために複数の遷移画像を生成することをさらに含む、請求項８に記載の埋め込みシステムにおける非破壊型クロスフェード処理の方法。
【請求項１０】
クロスフェード画素を表示装置に伝送することはバッファへのクロスフェード画素の格納を回避することをさらに含む、請求項１に記載の埋め込みシステムにおける非破壊型クロスフェード処理の方法。
【請求項１１】
クロスフェード画素を表示することはクロスフェード画素を他のクロスフェード画素とグループ化することをさらに含む、請求項１０に記載の埋め込みシステムにおける非破壊型クロスフェード処理の方法。
【請求項１２】
第１画像データ及び第２画像データに上書きしないでクロスフェード画素を表示装置に伝送することは表示装置上の画像をリフレッシュすることをさらに含む、請求項１に記載の埋め込みシステムにおける非破壊型クロスフェード処理の方法。
【請求項１３】
プロセッサインタフェースに接続されたディスプレイバッファを備え、ディスプレイバッファは第１画像データ及び第２画像データを格納するように構成されており、
ディスプレイバッファに接続されたクロスフェーダ回路を備え、クロスフェーダ回路はクロスフェード画素値を計算できるように第１画像データと関連付けられた第１画素値及び第２画像データと関連付けられた対応する第２画素値を受け取るように構成されており、第１画像データ及び第２画像データはディスプレイバッファ内で変わらずもとのままであって、
クロスフェーダ回路に接続された表示装置インタフェースを備え、表示装置インタフェースはクロスフェード画素値を受け取るように構成されている、非破壊型クロスフェード処理のためのディスプレイコントローラ。
【請求項１４】
第１画像データ及び第２画像データは画素配列内の対応する位置から抽出される、請求項１３に記載の非破壊型クロスフェード処理のためのディスプレイコントローラ。
【請求項１５】
クロスフェード画素は第１画素及び第２画素を第１重み及び第２重みとそれぞれ結合することから取得される、請求項１３に記載の非破壊型クロスフェード処理のためのディスプレイコントローラ。
【請求項１６】
第１重み及び第２重みはクロスフェード画素における第１画素と第２画素のオーバーラップの割合を定義する、請求項１５に記載の非破壊型クロスフェード処理のためのディスプレイコントローラ。
【請求項１７】
表示装置インタフェースはディスプレイバッファにクロスフェード画素を追加しないで表示パイプにクロスフェード画素を伝送する、請求項１３に記載の非破壊型クロスフェード処理のためのディスプレイコントローラ。
【請求項１８】
表示装置はアニメーション用に複数のクロスフェード画素をさらに含む、請求項１３に記載の非破壊型クロスフェード処理のためのディスプレイコントローラ。
【請求項１９】
ディスプレイコントローラに接続されたプロセッサを備え、ディスプレイコントローラは非破壊型クロスフェード処理後バッファに格納されている画像を維持するように構成されており、
ディスプレイコントローラに接続された表示装置を備え、ディスプレイコントローラはバッファ内の画像をもとのままにしておきながらクロスフェーダ回路にアクセスして遷移画像を表示装置に表示するように構成されている、埋め込みシステムにおいて非破壊型クロスフェード処理するためのデバイス。
【請求項２０】
画像は画素配列のフレームである、請求項１９に記載の埋め込みシステムにおいて非破壊型クロスフェード処理するためのデバイス。
【請求項２１】
画像は画像キャプチャデバイスから取得される、請求項２０に記載の埋め込みシステムにおいて非破壊型クロスフェード処理するためのデバイス。
【請求項２２】
クロスフェーダ回路は第１画素及び画素配列内の同一位置に対応する第２画素を受け取る機能を有する、請求項２０に記載の埋め込みシステムにおいて非破壊型クロスフェード処理するためのデバイス。
【請求項２３】
クロスフェーダ回路は第１画素及び第２画素を用いてクロスフェード画素を計算し、クロスフェード画素は表示パイプに伝送され、バッファへの格納を回避する、請求項２２に記載の埋め込みシステムにおいて非破壊型クロスフェード処理するためのデバイス。
【請求項２４】
クロスフェード画素は第１画素及び第２画素と第１重み及び第２重みとのそれぞれの結合を含む、請求項２３に記載の埋め込みシステムにおいて非破壊型クロスフェード処理するためのデバイス。
【請求項２５】
第１重み及び第２重みはクロスフェード画像の中に表示する第１画素及び第２画素の割合を定義する、請求項２４に記載の埋め込みシステムにおいて非破壊型クロスフェード処理するためのデバイス。
【請求項２６】
記憶部に格納された第１画素データ及び第２画素データに基づいて第３画素データを生成し、
前記第１画素データを表示装置へ供給し、
前記第３画素データを前記表示装置へ供給し、
前記第２画素データを前記表示装置へ供給することを特徴とする表示装置の駆動方法。
【請求項２７】
第１画素データ及び第２画素データを格納する記憶部と、
前記第１画素データ及び前記第２画素データに基づく演算を行い第３画素データを生成する演算部と、
を含み、
前記第１画素データ、前記第３画素データ、及び前記第２画素データを出力することを特徴とするディスプレイコントローラ。
【手続補正２】
【補正対象書類名】明細書
【補正対象項目名】発明の名称
【補正方法】変更
【補正の内容】
【発明の名称】非破壊型クロスフェード処理の方法、ディスプレイコントローラ、デバイス、及び表示装置の駆動方法
【手続補正３】
【補正対象書類名】明細書
【補正対象項目名】００１１
【補正方法】変更
【補正の内容】
【００１１】
また、本発明の表示装置の駆動方法は、記憶部に格納された第１画素データ及び第２画素データに基づいて第３画素データを生成し、前記第１画素データを表示装置へ供給し、前記第３画素データを前記表示装置へ供給し、前記第２画素データを前記表示装置へ供給することを特徴とする。
また、本発明のディスプレイコントローラは、第１画素データ及び第２画素データを格納する記憶部と、前記第１画素データ及び前記第２画素データに基づく演算を行い第３画素データを生成する演算部と、を含み、前記第１画素データ、前記第３画素データ、及び前記第２画素データを出力することを特徴とする。
発明の原理を例として図解している添付の図面と共に考慮すれば、以下の詳細な説明から発明の他の態様は明白になる。